(57)【要約】【課題】利用者がカーソル等を使用して、特定の店舗を選択するなどの面倒な操作を行うことなく、特定の店舗に関する情報などを提供することができるようにする。【解決手段】リーダライタ３の各配置領域Ｆに表示する表示コンテンツを特定し、その表示コンテンツを各配置領域Ｆに表示する表示コンテンツ制御部７と、投影面２に配置されているリーダライタ３の中で、携帯電話と通信を開始しているリーダライタ３を特定する通信中リーダライタ特定部８と、通信を開始しているリーダライタ３に対応する配信コンテンツを特定し、その配信コンテンツをリーダライタ３から携帯電話に送信させる配信コンテンツ送信部９とを備える。【選択図】図１
2008281777.tif 000002
【特許請求の範囲】
【請求項１】
非接触型のリーダライタがアレー状に配置されている表示装置と、上記表示装置に配置されているリーダライタと配信コンテンツ及び表示コンテンツの対応関係を示すテーブルを記録しているテーブル記録手段と、上記テーブル記録手段に記録されているテーブルを参照して、上記リーダライタが配置されている上記表示装置の各領域に表示する表示コンテンツを特定し、上記表示コンテンツを上記表示装置の各領域に表示するコンテンツ表示手段と、上記表示装置に配置されているリーダライタの中で、携帯情報端末と通信を開始しているリーダライタを特定する通信中リーダライタ特定手段と、上記テーブル記録手段に記録されているテーブルを参照して、上記通信中リーダライタ特定手段により特定されたリーダライタに対応する配信コンテンツを特定し、上記配信コンテンツを上記リーダライタから上記携帯情報端末に送信させる配信コンテンツ送信手段とを備えた情報提供装置。
【請求項２】
表示装置は、非接触型のリーダライタがアレー状に配置されている投影面と、表示コンテンツを上記投影面に投影するプロジェクタとから構成されていることを特徴とする請求項１記載の情報提供装置。
【請求項３】
対応関係記録手段によりリーダライタと配信コンテンツ及び表示コンテンツの対応関係を示すテーブルが複数記録されている場合、コンテンツ表示手段及び配信コンテンツ送信手段が参照するテーブルを選択するテーブル選択手段を設けたことを特徴とする請求項１または請求項２記載の情報提供装置。
【請求項４】
表示装置には、非接触型のリーダライタの本体部分ではなく、透明性を有するアンテナ部分がアレー状に配置されていることを特徴とする請求項１または請求項３記載の情報提供装置。
【発明の詳細な説明】
【技術分野】
【０００１】
この発明は、例えば、公共スペースに設置されている表示装置に表示されている店舗や広告に関連する詳細情報を利用者の携帯情報端末に配信する情報提供装置に関するものである。
【背景技術】
【０００２】
近年、非接触ＩＣカードが内蔵されている携帯電話などの携帯情報端末が広く普及しつつある。
また、近年では、非接触ＩＣカードが内蔵されている携帯電話に情報配信を行う情報提供装置も開発されている。
【０００３】
即ち、情報提供装置は、例えば、公共スペースやショッピングモールに設置されている大画面表示装置の近傍に非接触ＩＣカードのリーダライタを配置し、利用者が携帯電話をリーダライタにかざすことにより、携帯電話内の非接触ＩＣカードと、リーダライタ間で通信が発生すると、そのリーダライタが、大画面表示装置に表示されている広告や店舗に関連する詳細情報やクーポン等を携帯電話内の非接触ＩＣカードに送信するものである（例えば、特許文献１，２を参照）。
【０００４】
例えば、利用者が、大画面表示装置に表示されている店舗の一覧の中から、特定の店舗の詳細情報の取得を希望する場合、大画面表示装置に用意されているカーソル等を操作して、詳細情報の取得を希望する１つの店舗を選択し、その後、携帯電話をリーダライタにかざして、その店舗の詳細情報を取得する。
【０００５】
【特許文献１】特開２００６−２３５３６５号公報（段落番号［００１０］から［００１３］、図１）
【特許文献２】特開２００６−３１５３１号公報（段落番号［００２１］、図１）
【発明の開示】
【発明が解決しようとする課題】
【０００６】
従来の情報提供装置は以上のように構成されているので、利用者が大画面表示装置に用意されているカーソル等を操作して、詳細情報の取得を希望する１つの店舗を選択すれば、その店舗の詳細情報を取得することができる。しかし、カーソル等を操作して、特定の店舗を選択することが面倒な利用者には、利用されない傾向がある課題があった。
【０００７】
この発明は上記のような課題を解決するためになされたもので、利用者がカーソル等を使用して、特定の店舗を選択するなどの面倒な操作を行うことなく、特定の店舗に関する情報などを提供することができる情報提供装置を得ることを目的とする。
【課題を解決するための手段】
【０００８】
この発明に係る情報提供装置は、テーブル記録手段に記録されているテーブルを参照して、リーダライタが配置されている表示装置の各領域に表示する表示コンテンツを特定し、その表示コンテンツを表示装置の各領域に表示するコンテンツ表示手段と、表示装置に配置されているリーダライタの中で、携帯情報端末と通信を開始しているリーダライタを特定する通信中リーダライタ特定手段と、テーブル記録手段に記録されているテーブルを参照して、通信中リーダライタ特定手段により特定されたリーダライタに対応する配信コンテンツを特定し、その配信コンテンツをリーダライタから携帯情報端末に送信させる配信コンテンツ送信手段とを備えるようにしたものである。
【発明の効果】
【０００９】
この発明によれば、テーブル記録手段に記録されているテーブルを参照して、リーダライタが配置されている表示装置の各領域に表示する表示コンテンツを特定し、その表示コンテンツを表示装置の各領域に表示するコンテンツ表示手段と、表示装置に配置されているリーダライタの中で、携帯情報端末と通信を開始しているリーダライタを特定する通信中リーダライタ特定手段と、テーブル記録手段に記録されているテーブルを参照して、通信中リーダライタ特定手段により特定されたリーダライタに対応する配信コンテンツを特定し、その配信コンテンツをリーダライタから携帯情報端末に送信させる配信コンテンツ送信手段とを備えるように構成したので、利用者がカーソル等を使用して、特定の店舗を選択するなどの面倒な操作を行うことなく、特定の店舗に関する情報などを提供することができる効果がある。
【発明を実施するための最良の形態】
【００１０】
実施の形態１．
図１はこの発明の実施の形態１による情報提供装置を示す構成図であり、図において、プロジェクタ１は表示コンテンツ制御部７の指示の下、表示コンテンツ（例えば、ショッピングモールに出店している店舗の名称や売場名などを表すコンテンツ）を投影面２に投影する機器である。
プロジェクタ１の投影面２には、非接触ＩＣカードのリーダライタ３がアレー状に配置されている。図１では、７０個（＝１０×７個）のリーダライタ３が投影面２に配置されている例を示しているが、これは一例に過ぎず、７０個以上のリーダライタ３が配置されていてもよいし、７０個未満のリーダライタ３が配置されていてもよい。
なお、プロジェクタ１及び投影面２から表示装置が構成されている。
【００１１】
リーダライタ３は非接触ＩＣカードが内蔵されている携帯電話（携帯情報端末）との距離が所定距離以内になると、携帯電話内の非接触ＩＣカードと通信を開始して、各種の情報を送受信する機能を備えている。
表示コンテンツ格納部４は各種の表示コンテンツを格納しているメモリである。
配信コンテンツ格納部５は各種の配信コンテンツ（例えば、店舗の詳細情報）を格納しているメモリである。
【００１２】
テーブル記録部６はプロジェクタ１の投影面２に配置されているリーダライタ３と配信コンテンツ及び表示コンテンツの対応関係を示すテーブルを記録しているメモリである。
即ち、テーブル記録部６は、リーダライタ３のＩＤ、リーダライタ３の投影面２における配置領域Ｆ、各配置領域Ｆに表示する表示コンテンツのＩＤ、リーダライタ３に対応する配信コンテンツのＩＤなどを含むテーブルを記録している。
なお、テーブル記録部６はテーブル記録手段を構成している。
【００１３】
表示コンテンツ制御部７はテーブル記録部６に記録されているテーブルを参照して、リーダライタ３の各配置領域Ｆに表示する表示コンテンツのＩＤを取得することにより、表示コンテンツ格納部４から当該ＩＤを有する表示コンテンツを取得し、プロジェクタ１を制御して、その表示コンテンツをリーダライタ３の配置領域Ｆに表示する処理を実施する。
なお、表示コンテンツ制御部７はコンテンツ表示手段を構成している。
【００１４】
通信中リーダライタ特定部８はプロジェクタ１の投影面２に配置されているリーダライタ３の中で、利用者の携帯電話内の非接触ＩＣカードと通信を開始しているリーダライタ３（利用者により携帯電話がかざされているリーダライタ３）を特定する処理を実施する。
なお、通信中リーダライタ特定部８は通信中リーダライタ特定手段を構成している。
【００１５】
配信コンテンツ送信部９はテーブル記録部６に記録されているテーブルを参照して、通信中リーダライタ特定部８により特定されたリーダライタ３に対応する配信コンテンツのＩＤを取得することにより、配信コンテンツ格納部５から当該ＩＤを有する配信コンテンツを取得し、その配信コンテンツをリーダライタ３から利用者の携帯電話内の非接触ＩＣカードに送信させる処理を実施する。
なお、配信コンテンツ送信部９は配信コンテンツ送信手段を構成している。
【００１６】
図２はテーブル記録部６に記録されているテーブルを示す説明図である。
図において、リーダライタＩＤはプロジェクタ１の投影面２に配置されているリーダライタ３のＩＤを示している。
配置領域Ｆはリーダライタ３が配置されている領域の座標を示している。
表示コンテンツＩＤは各配置領域Ｆに表示する表示コンテンツのＩＤを示している。
配信コンテンツＩＤはリーダライタ３に対応する配信コンテンツのＩＤを示している。
図３はこの発明の実施の形態１による情報提供装置の処理内容を示すフローチャートである。
【００１７】
次に動作について説明する。
まず、表示コンテンツ制御部７は、テーブル記録部６に記録されているテーブルを参照して、リーダライタ３の各配置領域Ｆに表示する表示コンテンツの表示コンテンツＩＤを取得する（ステップＳＴ１）。
即ち、表示コンテンツ制御部７は、７０個のリーダライタ３の配置領域Ｆ毎に、当該配置領域Ｆに表示する表示コンテンツの表示コンテンツＩＤを取得する。
例えば、リーダライタＩＤが“＃１１”のリーダライタ３が配置されている領域（Ｘ１，Ｙ２）に表示する表示コンテンツのＩＤとして“Ａ０１”を取得し、リーダライタＩＤが“＃１２”のリーダライタ３が配置されている領域（Ｘ２，Ｙ２）に表示する表示コンテンツのＩＤとして“Ａ０２”を取得する。
【００１８】
表示コンテンツ制御部７は、リーダライタ３の配置領域Ｆ毎に、当該配置領域Ｆに表示する表示コンテンツの表示コンテンツＩＤを取得すると、表示コンテンツ格納部４から当該表示コンテンツＩＤを有する表示コンテンツを取得する（ステップＳＴ２）。
ただし、図２の例では、配置領域（Ｘ１，Ｙ１）や配置領域（Ｘ２，Ｙ１）に対応する表示コンテンツＩＤは、表示コンテンツを表示しない旨を示す“ＮＵＬＬ”であるため、配置領域（Ｘ１，Ｙ１）や配置領域（Ｘ２，Ｙ１）に表示する表示コンテンツは取得しない。
【００１９】
表示コンテンツ制御部７は、表示コンテンツ格納部４から表示コンテンツを取得すると、プロジェクタ１を制御して、その表示コンテンツをリーダライタ３の配置領域Ｆに表示する（ステップＳＴ３）。
ここで、図４は表示コンテンツ制御部７の指示の下、プロジェクタ１により投影された表示コンテンツを示す説明図である。
図４では、１１個の表示コンテンツが投影面２に表示されている例を示しており、例えば、配置領域Ｆ（Ｘ１，Ｙ２）、（Ｘ２，Ｙ２）、（Ｘ３，Ｙ２）、（Ｘ１，Ｙ３）、（Ｘ２，Ｙ３）、（Ｘ３，Ｙ３）には、表示コンテンツＡ０１〜Ａ０６の表示が指示されることにより、当該配置領域Ｆには「レストランＡ」が表示されている。
【００２０】
通信中リーダライタ特定部８は、プロジェクタ１の投影面２に配置されているリーダライタ３の中で、利用者の携帯電話内の非接触ＩＣカードと通信を開始しているリーダライタ３を特定する処理を実施する（ステップＳＴ４）。
即ち、通信中リーダライタ特定部８は、常時又は定期的に、７０個のリーダライタ３の通信状態を監視して、通信を開始したリーダライタ３を検索する。
例えば、利用者が「レストランＡ」の詳細情報の取得を希望して、「レストランＡ」が表示されている何れかの領域に、非接触ＩＣカードを内蔵している携帯電話をかざすと（ここでは、説明の便宜上、配置領域Ｆ（Ｘ２，Ｙ２）に携帯電話をかざすものとする）、その配置領域Ｆ（Ｘ２，Ｙ２）に配置されているリーダライタＩＤ“＃１２”のリーダライタ３が通信を開始するので、通信中リーダライタ特定部８がリーダライタＩＤ“＃１２”を配信コンテンツ送信部９に通知する。
【００２１】
配信コンテンツ送信部９は、通信中リーダライタ特定部８により通信を開始しているリーダライタ３が特定されて、通信中リーダライタ特定部８からリーダライタＩＤの通知を受けると（ステップＳＴ５）、テーブル記録部６に記録されているテーブルを参照して、そのリーダライタＩＤを有するリーダライタ３に対応する配信コンテンツの配信コンテンツＩＤを取得する（ステップＳＴ６）。
例えば、通信中リーダライタ特定部８からリーダライタＩＤ“＃１２”の通知を受けると、“ａ”の配信コンテンツＩＤを取得する（図２を参照）。
【００２２】
配信コンテンツ送信部９は、配信コンテンツＩＤを取得すると、配信コンテンツ格納部５から当該配信コンテンツＩＤを有する配信コンテンツを取得し、その配信コンテンツを上記リーダライタ３に出力することにより、その配信コンテンツを利用者の携帯電話内の非接触ＩＣカードに送信させる処理を実施する（ステップＳＴ７）。
例えば、配信コンテンツ送信部９が“ａ”の配信コンテンツＩＤを有する配信コンテンツを送信すると、利用者の携帯電話には「レストランＡ」の詳細情報が送られたことになる。
【００２３】
以上で明らかなように、この実施の形態１によれば、テーブル記録部６に記録されているテーブルを参照して、リーダライタ３の各配置領域Ｆに表示する表示コンテンツを特定し、その表示コンテンツを各配置領域Ｆに表示する表示コンテンツ制御部７と、プロジェクタ１の投影面２に配置されているリーダライタ３の中で、利用者の携帯電話内の非接触ＩＣカードと通信を開始しているリーダライタ３を特定する通信中リーダライタ特定部８と、テーブル記録部６に記録されているテーブルを参照して、通信中リーダライタ特定部８により特定されたリーダライタ３に対応する配信コンテンツを特定し、その配信コンテンツをリーダライタ３から携帯電話内の非接触ＩＣカードに送信させる配信コンテンツ送信部９とを備えるように構成したので、利用者がカーソル等を使用して、特定の店舗を選択するなどの面倒な操作を行うことなく、特定の店舗に関する情報などを提供することができる効果を奏する。
【００２４】
実施の形態２．
図５はこの発明の実施の形態２による情報提供装置を示す構成図であり、図において、図１と同一符号は同一または相当部分を示すので説明を省略する。
テーブル記録部２１はテーブル記録部６と同様のテーブルを記録しているメモリであるが、テーブル記録部６と異なり、複数のテーブルを記録している。なお、テーブル記録部２１はテーブル記録手段を構成している。
テーブル選択部２２はテーブル記録部２１に記録されている複数のテーブルの中から、１つのテーブルを選択して、そのテーブルを表示コンテンツ制御部７及び配信コンテンツ送信部９に出力する処理を実施する。なお、テーブル選択部２２はテーブル選択手段を構成している。
【００２５】
上記実施の形態１では、表示コンテンツ制御部７及び配信コンテンツ送信部９がテーブル記録部６に記録されているテーブルを参照するものについて示したが、この実施の形態２では、表示コンテンツ制御部７及び配信コンテンツ送信部９が、テーブル記録部２１に記録されている複数のテーブルの中から、テーブル選択部２２により選択されたテーブルを参照するものについて説明する。
【００２６】
例えば、ショッピングモールにおける各フロアーの店舗一覧を表示するような場合には、フロアー毎にテーブルが用意されて、複数のテーブルがテーブル記録部２１に記録されることがある。
テーブル選択部２２は、例えば、利用者がメニューボタン（図示せず）などを使用して、表示内容の変更要求（例えば、他のフロアーの店舗一覧の表示を要求）を入力したとき、表示内容を変更する場合には、テーブル記録部２１に記録されている複数のテーブルの中から、その表示内容の変更要求に含まれている表示希望のフロアーに対応するテーブルを選択する。
また、予め設定された表示内容の切替時間が経過したとき、表示内容を変更するような場合には、テーブル記録部２１に記録されている複数のテーブルの中から、予め設定された順番でテーブルを選択する。あるいは、ランダムにテーブルを選択する。
【００２７】
テーブル選択部２２は、上記のようにして、テーブルを選択すると、そのテーブルを表示コンテンツ制御部７及び配信コンテンツ送信部９に出力する。
テーブル記録部２１及びテーブル選択部２２以外の処理内容は、上記実施の形態１と同様であるため説明を省略する。
なお、図６は表示コンテンツ制御部７の指示の下、プロジェクタ１により投影された表示コンテンツを示す説明図である。
図６では、任意のフロアーの店舗一覧を表示している例を示している。
【００２８】
以上で明らかなように、この実施の形態２によれば、複数のテーブルがテーブル記録部２１に記録されている場合、表示コンテンツ制御部７及び配信コンテンツ送信部９が参照するテーブルを選択するテーブル選択部２２を設けるように構成したので、例えば、ショッピングモールのフロアー毎に、店舗一覧を表示するような場合にも適用することができる効果を奏する。
【００２９】
実施の形態３．
図７はこの発明の実施の形態３による情報提供装置を示す構成図であり、図において、図１と同一符号は同一または相当部分を示すので説明を省略する。
表示装置３１は例えば液晶モニタやプラズマモニタや電子ペーパなどの表示機器であり、表示コンテンツ制御部３４の指示の下、表示コンテンツを表示する。
表示装置３１の表示面には、非接触ＩＣカードのリーダライタの本体部分３２ではなく、透明性を有するアンテナ部分３３がアレー状に配置されている。
なお、透明性を有するリーダライタのアンテナ部分１３の製造法は、例えば、特開２００６−１９５８０２号公報に開示されている。
【００３０】
図７では、７０個（＝１０×７個）のリーダライタのアンテナ部分３３が表示装置３１の表示面に配置されている例を示しているが、これは一例に過ぎず、７０個以上のリーダライタのアンテナ部分３３が配置されていてもよいし、７０個未満のリーダライタのアンテナ部分３３が配置されていてもよい。
【００３１】
表示コンテンツ制御部３４はテーブル記録部６に記録されているテーブルを参照して、リーダライタのアンテナ部分３３の各配置領域Ｆに表示する表示コンテンツのＩＤを取得することにより、表示コンテンツ格納部４から当該ＩＤを有する表示コンテンツを取得し、表示装置３１を制御して、その表示コンテンツをリーダライタのアンテナ部分３３の配置領域Ｆに表示する処理を実施する。
なお、表示コンテンツ制御部３４はコンテンツ表示手段を構成している。
【００３２】
上記実施の形態１，２では、非接触ＩＣカードのリーダライタ３がプロジェクタ１の投影面２にアレー状に配置されているものについて示したが、非接触ＩＣカードのリーダライタの本体部分３２ではなく、透明性を有するアンテナ部分３３が表示装置３１の表示面に配置されているようにしてもよい。
この場合も、上記実施の形態１，２と同様の効果を奏するほか、利用者が手の影や、携帯電話の影などを気にすることなく、所望の表示コンテンツの上に携帯電話をかざすだけで、所望の詳細情報を得ることができる効果を奏する。
【図面の簡単な説明】
【００３３】
【図１】この発明の実施の形態１による情報提供装置を示す構成図である。
【図２】テーブル記録部６に記録されているテーブルを示す説明図である。
【図３】この発明の実施の形態１による情報提供装置の処理内容を示すフローチャートである。
【図４】表示コンテンツ制御部７の指示の下、プロジェクタ１により投影された表示コンテンツを示す説明図である。
【図５】この発明の実施の形態２による情報提供装置を示す構成図である。
【図６】表示コンテンツ制御部７の指示の下、プロジェクタ１により投影された表示コンテンツを示す説明図である。
【図７】この発明の実施の形態３による情報提供装置を示す構成図である。
【符号の説明】
【００３４】
１  プロジェクタ（表示装置）、２  投影面（表示装置）、３  リーダライタ、４  表示コンテンツ格納部、５  配信コンテンツ格納部、６  テーブル記録部（テーブル記録手段）、７  表示コンテンツ制御部（コンテンツ表示手段）、８  通信中リーダライタ特定部（通信中リーダライタ特定手段）、９  配信コンテンツ送信部（配信コンテンツ送信手段）、２１  テーブル記録部（テーブル記録手段）、２２  テーブル選択部（テーブル選択手段）、３１  表示装置、３２  リーダライタの本体部分、３３  リーダライタのアンテナ部分、３４  表示コンテンツ制御部（コンテンツ表示手段）。
【図１】
2008281777.tif 000003
【図２】
2008281777.tif 000004
【図３】
2008281777.tif 000005
【図４】
2008281777.tif 000006
【図５】
2008281777.tif 000007
【図６】
2008281777.tif 000008
【図７】
2008281777.tif 000009